(57)【要約】【課題】端末ピンと高圧端子との導電性を確実にすることのできる内燃機関用点火コイルを提供すること。【解決手段】本発明の内燃機関用点火コイルは、一次コイル及び二次コイルをそれぞれ巻回し、同心状に配設した筒状の一次コイルボビン及び二次コイルボビンと、該一次コイルボビンの筒内周及び二次コイルボビンの外周を通って磁路を形成する鉄心部と、これらを収納する絶縁ケースと、前記絶縁ケースの漏斗形下部に外嵌された円筒型絶縁パイプを備え、前記二次コイルに発生した高電圧を前記漏斗形下部内に配設した高圧端子へ端末ピンを介して伝達する内燃機関用点火コイル装置であつて、前記高圧端子を軟質導電性物質から構成するとともに、前記端末ピンを高圧端子に挿入したので、二次コイルに接続された端末ピンを高圧端子に突き刺すことによって確実に導電性を確保することができる。したがって、信頼性を向上できるとともに、製造時の作業性を向上できる。また、導電性物質の電気抵抗によって、点火コイル放電時のノイズを抑制できる。【選択図】図１
2008034613.tif 000002
【特許請求の範囲】
【請求項１】
一次コイル及び二次コイルをそれぞれ巻回し、同心状に配設した筒状の一次コイルボビン及び二次コイルボビンと、該一次コイルボビンの筒内周及び二次コイルボビンの外周を通って磁路を形成する鉄心部と、これらを収納する絶縁ケースと、前記絶縁ケースの漏斗形下部に外嵌された円筒型絶縁パイプを備え、前記二次コイルに発生した高電圧を前記漏斗形下部内に配設した高圧端子へ端末ピンを介して伝達する内燃機関用点火コイル装置であつて、
前記高圧端子を軟質導電性物質から構成するとともに、前記端末ピンを高圧端子に挿入したことを特徴とする内燃機関用点火コイル。
【請求項２】
前記軟質導電性物質は、導電性ゴムであることを特徴とする請求項１に記載の内燃機関用点火コイル。
【請求項３】
前記軟質導電性物質は、導電性発泡樹脂であることを特徴とする請求項１に記載の内燃機関用点火コイル。
【発明の詳細な説明】
【技術分野】
【０００１】
本発明は、例えば自動車等のエンジンの点火プラグに火花放電を発生させるための内燃機関用点火コイルに関し、特に発生した高電圧を確実に点火プラグに伝達することのできる内燃機関用点火コイルに関する。
【背景技術】
【０００２】
従来の内燃機関用点火コイルは、例えば、図３、４に示すように一次コイル１及び二次コイル２をそれぞれ巻回し、同心状に配設した筒状の一次コイルボビン３及び二次コイルボビン４と、該一次コイルボビン３の筒内周及び二次コイルボビン４の外周を通って磁路を形成する鉄心部５と、これらを収納する絶縁ケース６と、前記絶縁ケース６の漏斗形下部６ａに外嵌された円筒型絶縁パイプ７を備え、前記二次コイル２に発生した高電圧を前記漏斗形下部６ａ内に配設した高圧端子８及び前記円筒型絶縁パイプ７内のスプリング９を介してプラグヘ伝達する。また、高圧端子８と二次コイル２に連結された端末ピン２ａとの接続は、端末ピン２ａ自身のバネ力によって保持されていた。
【０００３】
上記のように構成された点火コイルでは、二次コイル２に発生した高電圧が端末ピン、高圧端子および導電バネを介して点火プラグに供給され、当該点火プラグに所望の火花放電を発生することが可能となる。
【発明の開示】
【発明が解決しようとする課題】
【０００４】
しかし、このような構成の従来の内燃機関用点火コイルにおいて、端末ピンと高圧端子との接触は、点接触或いは線接触であり、接触面積が少なく不安定であり、製品の組み付け時に接続不良が発生する虞れがあった。
【０００５】
この発明は、上記に鑑み提案されたもので、高圧端子を軟質導電性物質から構成し、端末ピンをこの軟質導電性物質に挿入して両者を接触させることで、確実な導通を確保することのできる内燃機関用点火コイルを提供することを目的とするものである。
【課題を解決するための手段】
【０００６】
上記目的を達成する為に、本発明の内燃機関用点火コイルは、一次コイル及び二次コイルをそれぞれ巻回し、同心状に配設した筒状の一次コイルボビン及び二次コイルボビンと、該一次コイルボビンの筒内周及び二次コイルボビンの外周を通って磁路を形成する鉄心部と、これらを収納する絶縁ケースと、前記絶縁ケースの漏斗形下部に外嵌された円筒型絶縁パイプを備え、前記二次コイルに発生した高電圧を前記漏斗形下部内に配設した高圧端子へ端末ピンを介して伝達する内燃機関用点火コイル装置であつて、前記高圧端子を軟質導電性物質から構成するとともに、前記端末ピンを高圧端子に挿入したことを特徴としている。
【０００７】
また、本発明において、前記軟質導電性物質は、導電性ゴムであることを特徴とする。
【０００８】
また、本発明において、前記軟質導電性物質は、導電性発泡樹脂であることを特徴とする。
【発明の効果】
【０００９】
この発明は上記した構成からなるので、以下に説明するような効果を奏することができる。
【００１０】
本発明では、一次コイル及び二次コイルをそれぞれ巻回し、同心状に配設した筒状の一次コイルボビン及び二次コイルボビンと、該一次コイルボビンの筒内周及び二次コイルボビンの外周を通って磁路を形成する鉄心部と、これらを収納する絶縁ケースと、前記絶縁ケースの漏斗形下部に外嵌された円筒型絶縁パイプを備え、前記二次コイルに発生した高電圧を前記漏斗形下部内に配設した高圧端子へ端末ピンを介して伝達する内燃機関用点火コイル装置であつて、前記高圧端子を軟質導電性物質から構成するとともに、前記端末ピンを高圧端子に挿入したので、二次コイルに接続された端末ピンを高圧端子に突き刺すことができる。したがって、端末ピンと高圧端子との接続をする際に、確実に導電性を確保することができる。また、接続の信頼性を向上できるとともに、製造時の作業性を向上できる。更に、導電性物質の電気抵抗によって放電時に発生するノイズを抑制することができる。
【００１１】
また、本発明において前記軟質導電性物質は、導電性ゴムであるので、端末ピンを容易に高圧端子に突き刺して導通を得ることができる。また、弾性を有するので、一旦、突き刺した端末ピンが抜けにくく、長期に渡って信頼性を確保することができる。
【００１２】
また、本発明において前記軟質導電性物質は、導電性発泡樹脂であるので、端末ピンを容易に高圧端子に突き刺して導通を得ることができる。また、工具等を使用することなく容易に接続することができる。
【発明を実施するための最良の形態】
【００１３】
内燃機関用点火コイルにおいて、高圧端子を軟質導電性物質から構成したので二次コイルに接続された端末ピンを高圧端子に突き刺すことにより、容易に両者の導通を取るとともに、接続の信頼性を向上するという目的が達成できる。
【実施例】
【００１４】
以下、一実施の形態を示す図面に基づいて本発明を詳細に説明する。図１は、本発明に係る内燃機関用点火コイルの全体構成を示す縦断面図、図２は、図１の要部拡大断面図である。ここで、内燃機関用点火コイル１０は、一次コイル１１及び二次コイル１２をそれぞれ巻回し、同心状に配設した筒状の一次コイルボビン１３及び二次コイルボビン１４と、該一次コイルボビン１３の筒内周及び二次
コイルボビン１４の外周を通って磁路を形成する鉄心部１５と、これらを収納する絶縁ケース１６と、前記絶縁ケース１６の漏斗形下部１６ａに外嵌された円筒型絶縁パイプ１７を備え、前記二次コイルに発生した高電圧を前記漏斗形下部１６ａ内に配設した高圧端子１８へ端末ピン２０を介して伝達すると共に、前記円筒型絶縁パイプ１７内のスプリング１９を介してプラグヘ伝達するものであつて、前記高圧端子１８を軟質導電性物質から構成したものである。
【００１５】
一次コイル１１は、一次コイルボビン１３に電線を巻回して形成されており、二次コイル１２は、その外周に配置された分割巻き形の二次コイルボビン１４に二次電線が密に巻回されている。また、二次電線の一端には、端末ピン２０が接続されている。端末ピン２０は、弾性を有するやや太めの銅線或いは導電性を有する線材から構成されている。
【００１６】
高圧端子１８を構成する軟質導電性物質は、例えば、導電性ゴム、導電性発泡樹脂、導電性高分子材料等を使用することができる。本実施例で使用する高圧端子１８は、導電性を有するとともにある程度の柔らかさを必要とする。これは、銅等から成る端末ピン２０を突き刺すことのできる程度の柔らかさである。
【００１７】
以上のように構成された内燃機関用点火コイル装置の組立手順について説明する。先ず、絶縁ケース１６の漏斗形下部１６ａに高圧端子を配設した後、一次コイル１１、二次コイル１２、鉄心部１５等の組立体を絶縁ケース１６内に収納する際に、組立体の下端に取り付けられた端末ピン２０の先端を高圧端子１８に突き刺す。高圧端子１８は、軟質導電性物質から構成されたので、組み付けに際して容易に端末ピン２０に突き刺すことができる。また、突き刺すのみで高圧端子に挿入でき、簡単に導通を確保することができる。
【００１８】
端末ピン２０を高圧端子１８に挿入した後、一次コイル１１、二次コイル１２、鉄心部１５等から成る組立体を絶縁ケース１６内の所定位置に収納し、絶縁樹脂を上から充填してそれらを固定する。
【００１９】
このように高圧端子１８と端末ピン２０の接続を、軟質導電性物質から構成された高圧端子１８に端末ピン２０を挿入することによって実現するので、両者の確実な導通を確保することができる。また、また、軟質導電性物質を電気抵抗を有する物質から構成すれば、点火コイルが放電時に発生するノイズを積極的に抑制することができる。
【００２０】
また、他の実施例として端末ピン２０の先端を高圧端子側に挿入する際に挿入作業が容易なように尖らせてもよい。更に、高圧端子に挿入した際に、抜けにくくするために、端末ピン側に凹凸や縦溝を設けてもよく、釣り針のように返し部分を設けてもよい。
【００２１】
なお、本発明は上述の実施例に限定されることなく、特許請求の範囲の記載に基づいて種々の設計変更が可能である。
【図面の簡単な説明】
【００２２】
【図１】図１は、本発明に係る内燃機関用点火コイルの全体構成を示す縦断面図である。
【図２】図２は、図１の要部拡大断面図である。
【図３】図３は、従来の内燃機関用点火コイルの全体構成を示す縦断面図である。
【図４】図４は、図３の要部拡大断面図である。
【符号の説明】
【００２３】
１０      内燃機関用点火コイル  
１１      一次コイル
１２      二次コイル
１３      一次コイルボビン
１４      二次コイルボビン
１５      鉄心部
１６      絶縁ケース
１６ａ    漏斗形下部
１７      円筒型絶縁パイプ
１８      高圧端子
１９      スプリング
２０      端末ピン
【図１】
2008034613.tif 000003
【図２】
2008034613.tif 000004
【図３】
2008034613.tif 000005
【図４】
2008034613.tif 000006